(57)【特許請求の範囲】
【請求項１】
空気調和機の室内機であって、
前記室内機が備える各アクチュエータに対して、前記空気調和機の動作状況に応じて動作条件が変動するアクチュエータであるか、前記動作状況に応じて前記動作条件が変動しないアクチュエータであるかを判定する第１判定部と、
前記第１判定部が前記動作条件が変動すると判定したアクチュエータである第１アクチュエータに対しては、前記第１アクチュエータの稼働時間と、前記第１アクチュエータの前記稼働時間の積算時間である稼働積算時間を算出する際に用いられる補正値を示す係数であって、前記第１アクチュエータの変動する動作条件に応じた係数とに基づいて、前記第１アクチュエータの部品の交換時期であるか否かを判定する第２判定部と、
前記第１判定部が前記動作条件が変動しないと判定したアクチュエータである第２アクチュエータに対しては、前記第２アクチュエータの稼働時間に基づいて、前記第２アクチュエータの部品の交換時期であるか否かを判定する第３判定部と、
を備える、室内機。
【請求項２】
前記第１判定部は、
前記室内機の起動時に取得した前記各アクチュエータの識別子に基づいて、前記各アクチュエータに対して、前記空気調和機の動作状況に応じて動作条件が変動するアクチュエータであるか、前記動作状況に応じて前記動作条件が変動しないアクチュエータであるかを判定する、
請求項１に記載の室内機。
【請求項３】
動作を指示する稼働信号と、前記動作条件を指示する動作条件指令信号とを、前記第１アクチュエータに送信することにより前記第１アクチュエータを制御し、前記第２アクチュエータに前記稼働信号を送信することにより前記第２アクチュエータを制御するコントロール部、
を備える、請求項１または請求項２に記載の室内機。
【請求項４】
前記コントロール部が送信する前記稼働信号を受信し、受信した時間を前記稼働時間と特定する稼働時間特定部、
を備える、請求項３に記載の室内機。
【請求項５】
前記第２判定部は、
前記コントロール部が送信する前記動作条件指令信号を受信し、受信した前記動作条件指令信号が示す前記第１アクチュエータの動作条件に一致する動作条件を、記憶部が記憶する動作条件の中から特定し、前記記憶部において特定した動作条件に対応付けられている前記第１アクチュエータの変動する動作条件に応じた係数を特定する、
請求項４に記載の室内機。
【請求項６】
前記第３判定部は、
前記第２アクチュエータに対して、前記稼働信号を受信した時間により特定した前記稼働時間を積算した稼働積算時間と、記憶部が記憶する前記第２アクチュエータの前記部品の交換時期であるか否かの判定基準を示す判定基準時間とを比較し、前記稼働積算時間が前記判定基準時間以上である場合に、前記第２アクチュエータの前記部品の交換時期であると判定する、
請求項４に記載の室内機。
【請求項７】
前記第２判定部は、
前記第１アクチュエータに対して、前記稼働信号を受信した時間により特定した前記稼働時間に前記第１アクチュエータの変動する動作条件に応じた係数を乗算した時間を積算した稼働積算時間と、記憶部が記憶する前記第１アクチュエータの前記部品の交換時期であるか否かの判定基準を示す判定基準時間とを比較し、前記稼働積算時間が前記判定基準時間以上である場合に、前記第１アクチュエータの前記部品の交換時期であると判定する、
請求項５に記載の室内機。
【請求項８】
空気調和機の室外機であって、
前記室外機が備える各アクチュエータに対して、前記空気調和機の動作状況に応じて動作条件が変動するアクチュエータであるか、前記動作状況に応じて前記動作条件が変動しないアクチュエータであるかを判定する第４判定部と、
前記第４判定部が前記動作条件が変動すると判定したアクチュエータである第３アクチュエータに対しては、前記第３アクチュエータの稼働時間と、前記第３アクチュエータの前記稼働時間の積算時間である稼働積算時間を算出する際に用いられる補正値を示す係数であって、前記第３アクチュエータの変動する動作条件に応じた係数とに基づいて、前記第３アクチュエータの部品の交換時期であるか否かを判定する第５判定部と、
前記第４判定部が前記動作条件が変動しないと判定したアクチュエータである第４アクチュエータに対しては、前記第４アクチュエータの稼働時間に基づいて、前記第４アクチュエータの部品の交換時期であるか否かを判定する第６判定部と、
を備える、室外機。
【請求項９】
前記第４判定部は、
前記室外機の起動時に取得した前記各アクチュエータの識別子に基づいて、前記各アクチュエータに対して、前記空気調和機の動作状況に応じて動作条件が変動するアクチュエータであるか、前記動作状況に応じて前記動作条件が変動しないアクチュエータであるかを判定する、
請求項８に記載の室外機。
【請求項１０】
動作を指示する稼働信号と、前記動作条件を指示する動作条件指令信号とを、前記第３アクチュエータに送信することにより前記第３アクチュエータを制御し、前記第４アクチュエータに前記稼働信号を送信することにより前記第４アクチュエータを制御するコントロール部、
を備える、請求項８または請求項９に記載の室外機。
【請求項１１】
前記コントロール部が送信する前記稼働信号を受信し、受信した時間を前記稼働時間と特定する稼働時間特定部、
を備える、請求項１０に記載の室外機。
【請求項１２】
前記第５判定部は、
前記コントロール部が送信する前記動作条件指令信号を受信し、受信した前記動作条件指令信号が示す前記第３アクチュエータの動作条件に一致する動作条件を、記憶部が記憶する動作条件の中から特定し、前記記憶部において特定した動作条件に対応付けられている前記第３アクチュエータの変動する動作条件に応じた係数を特定する、
請求項１１に記載の室外機。
【請求項１３】
前記第６判定部は、
前記第４アクチュエータに対して、前記稼働信号を受信した時間により特定した前記稼働時間を積算した稼働積算時間と、記憶部が記憶する前記第４アクチュエータの前記部品の交換時期であるか否かの判定基準を示す判定基準時間とを比較し、前記稼働積算時間が前記判定基準時間以上である場合に、前記第４アクチュエータの前記部品の交換時期であると判定する、
請求項１１に記載の室外機。
【請求項１４】
前記第５判定部は、
前記第３アクチュエータに対して、前記稼働信号を受信した時間により特定した前記稼働時間に前記第３アクチュエータの変動する動作条件に応じた係数を乗算した時間を積算した稼働積算時間と、記憶部が記憶する前記第３アクチュエータの前記部品の交換時期であるか否かの判定基準を示す判定基準時間とを比較し、前記稼働積算時間が前記判定基準時間以上である場合に、前記第３アクチュエータの前記部品の交換時期であると判定する、
請求項１２に記載の室外機。
【請求項１５】
請求項１から請求項７のうち何れか一項に記載の室内機と、
請求項８から請求項１４のうち何れか一項に記載の室外機と、
前記室内機と通信を行うリモートコントローラと、
を備える空気調和機。
【請求項１６】
前記リモートコントローラは、
前記室内機と前記室外機のそれぞれが備える各アクチュエータの部品の交換時期であるか否かの判定結果を取得し、当該判定結果が部品の交換時期であることを示す判定結果である場合に、部品の交換時期となったことを報知する報知部、
を備える、
請求項１５に記載の空気調和機。
【請求項１７】
前記リモートコントローラは、
前記部品の交換時期であることを示す判定結果を記憶する記憶部、
を備える、
請求項１５または請求項１６に記載の空気調和機。
【請求項１８】
空気調和機の室内機の判定方法であって、
前記室内機が備える各アクチュエータに対して、前記空気調和機の動作状況に応じて動作条件が変動するアクチュエータであるか、前記動作状況に応じて前記動作条件が変動しないアクチュエータであるかを判定することと、
前記動作条件が変動すると判定したアクチュエータである第１アクチュエータに対しては、前記第１アクチュエータの稼働時間と、前記第１アクチュエータの前記稼働時間の積算時間である稼働積算時間を算出する際に用いられる補正値を示す係数であって、前記第１アクチュエータの変動する動作条件に応じた係数とに基づいて、前記第１アクチュエータの部品の交換時期であるか否かを判定することと、
前記動作条件が変動しないと判定したアクチュエータである第２アクチュエータに対しては、前記第２アクチュエータの稼働時間に基づいて、前記第２アクチュエータの部品の交換時期であるか否かを判定することと、
を含む判定方法。
【請求項１９】
空気調和機の室外機の判定方法であって、
前記室外機が備える各アクチュエータに対して、前記空気調和機の動作状況に応じて動作条件が変動するアクチュエータであるか、前記動作状況に応じて前記動作条件が変動しないアクチュエータであるかを判定することと、
前記動作条件が変動すると判定したアクチュエータである第３アクチュエータに対しては、前記第３アクチュエータの稼働時間と、前記第３アクチュエータの前記稼働時間の積算時間である稼働積算時間を算出する際に用いられる補正値を示す係数であって、前記第３アクチュエータの変動する動作条件に応じた係数とに基づいて、前記第３アクチュエータの部品の交換時期であるか否かを判定することと、
前記動作条件が変動しないと判定したアクチュエータである第４アクチュエータに対しては、前記第４アクチュエータの稼働時間に基づいて、前記第４アクチュエータの部品の交換時期であるか否かを判定することと、
を含む判定方法。
【請求項２０】
空気調和機の室内機のコンピュータに、
前記室内機が備える各アクチュエータに対して、前記空気調和機の動作状況に応じて動作条件が変動するアクチュエータであるか、前記動作状況に応じて前記動作条件が変動しないアクチュエータであるかを判定することと、
前記動作条件が変動すると判定したアクチュエータである第１アクチュエータに対しては、前記第１アクチュエータの稼働時間と、前記第１アクチュエータの前記稼働時間の積算時間である稼働積算時間を算出する際に用いられる補正値を示す係数であって、前記第１アクチュエータの変動する動作条件に応じた係数とに基づいて、前記第１アクチュエータの部品の交換時期であるか否かを判定することと、
前記動作条件が変動しないと判定したアクチュエータである第２アクチュエータに対しては、前記第２アクチュエータの稼働時間に基づいて、前記第２アクチュエータの部品の交換時期であるか否かを判定することと、
を実行させるプログラム。
【請求項２１】
空気調和機の室外機のコンピュータに、
前記室外機が備える各アクチュエータに対して、前記空気調和機の動作状況に応じて動作条件が変動するアクチュエータであるか、前記動作状況に応じて前記動作条件が変動しないアクチュエータであるかを判定することと、
前記動作条件が変動すると判定したアクチュエータである第３アクチュエータに対しては、前記第３アクチュエータの稼働時間と、前記第３アクチュエータの前記稼働時間の積算時間である稼働積算時間を算出する際に用いられる補正値を示す係数であって、前記第３アクチュエータの変動する動作条件に応じた係数とに基づいて、前記第３アクチュエータの部品の交換時期であるか否かを判定することと、
前記動作条件が変動しないと判定したアクチュエータである第４アクチュエータに対しては、前記第４アクチュエータの稼働時間に基づいて、前記第４アクチュエータの部品の交換時期であるか否かを判定することと、
を実行させるプログラム。
【発明の詳細な説明】
【技術分野】
【０００１】
本発明は、室内機、室外機、空気調和機、判定方法及びプログラムに関する。
【背景技術】
【０００２】
空気調和機は、商業施設、一般家庭、学校などさまざまな場所で使用されている。空気調和機は、室内機と室外機を備えており、複数のアクチュエータが使用されている。
特許文献１には、関連する技術として、乾燥機の運転積算時間を用いて、アクチュエータの部品の交換時期であるか否かを判定する技術が記載されている。
【先行技術文献】
【特許文献】
【０００３】
【特許文献１】特開２０１０−２２３５２９号公報
【発明の概要】
【発明が解決しようとする課題】
【０００４】
空気調和機は、ユーザ毎に異なる環境で使用される。また、室内機と室外機とでは異なる環境で動作する。そのため、各アクチュエータは、それぞれ異なる環境で動作する。
特許文献１に記載の技術は、動作環境に関わらず通電時間が所定の積算時間達したか否かに基づいて、アクチュエータの部品の交換時期であるか否かを判定する技術である。そのため、特許文献１に記載の技術を用いて異なる環境で動作するアクチュエータに対して部品の交換時期であるか否かを判定する場合、環境の影響により判定誤差が生じてしまう。
そのため、空気調和機のように、異なる環境で動作するアクチュエータに対して、部品の交換時期であるか否かをより正確で容易に判定することのできる技術が求められていた。
【０００５】
本発明は、上記の課題を解決することのできる室内機、室外機、空気調和機、判定方法及びプログラムを提供することを目的としている。
【課題を解決するための手段】
【０００６】
本発明の第１の態様によれば、室内機は、空気調和機の室内機であって、前記室内機が備える各アクチュエータに対して、前記空気調和機の動作状況に応じて動作条件が変動するアクチュエータであるか、前記動作状況に応じて前記動作条件が変動しないアクチュエータであるかを判定する第１判定部と、前記第１判定部が前記動作条件が変動すると判定したアクチュエータである第１アクチュエータに対しては、前記第１アクチュエータの稼働時間と、前記第１アクチュエータの前記稼働時間の積算時間である稼働積算時間を算出する際に用いられる補正値を示す係数であって、前記第１アクチュエータの変動する動作条件に応じた係数とに基づいて、前記第１アクチュエータの部品の交換時期であるか否かを判定する第２判定部と、前記第１判定部が前記動作条件が変動しないと判定したアクチュエータである第２アクチュエータに対しては、前記第２アクチュエータの稼働時間に基づいて、前記第２アクチュエータの部品の交換時期であるか否かを判定する第３判定部と、を備える。
【０００７】
本発明の第２の態様によれば、第１の態様における室内機において、前記第１判定部は、前記室内機の起動時に取得した前記各アクチュエータの識別子に基づいて、前記各アクチュエータに対して、前記空気調和機の動作状況に応じて動作条件が変動するアクチュエータであるか、前記動作状況に応じて前記動作条件が変動しないアクチュエータであるか を判定するものであってもよい。
【０００８】
本発明の第３の態様によれば、第１の態様または第２の態様における室内機は、動作を指示する稼働信号と、前記動作条件を指示する動作条件指令信号とを、前記第１アクチュエータに送信することにより前記第１アクチュエータを制御し、前記第２アクチュエータに前記稼働信号を送信することにより前記第２アクチュエータを制御するコントロール部、を備えるものであってもよい。
【０００９】
本発明の第４の態様によれば、第３の態様における室内機は、前記コントロール部が送信する前記稼働信号を受信し、受信した時間を前記稼働時間と特定するものであってもよい。
【００１０】
本発明の第５の態様によれば、第４の態様における室内機において、前記第２判定部は、前記コントロール部が送信する前記動作条件指令信号を受信し、受信した前記動作条件指令信号が示す前記第１アクチュエータの動作条件に一致する動作条件を、記憶部が記憶する動作条件の中から特定し、前記記憶部において特定した動作条件に対応付けられている前記第１アクチュエータの変動する動作条件に応じた係数を特定するものであってもよい。
【００１１】
本発明の第６の態様によれば、第４の態様における室内機において、前記第３判定部は、前記第２アクチュエータに対して、前記稼働信号を受信した時間により特定した前記稼働時間を積算した稼働積算時間と、記憶部が記憶する前記第２アクチュエータの前記部品の交換時期であるか否かの判定基準を示す判定基準時間とを比較し、前記稼働積算時間が前記判定基準時間以上である場合に、前記第２アクチュエータの前記部品の交換時期であると判定するものであってもよい。
【００１２】
本発明の第７の態様によれば、第５の態様における室内機において、前記第２判定部は、前記第１アクチュエータに対して、前記稼働信号を受信した時間により特定した前記稼働時間に前記第１アクチュエータの変動する動作条件に応じた係数を乗算した時間を積算した稼働積算時間と、記憶部が記憶する前記第１アクチュエータの前記部品の交換時期であるか否かの判定基準を示す判定基準時間とを比較し、前記稼働積算時間が前記判定基準時間以上である場合に、前記第１アクチュエータの前記部品の交換時期であると判定するものであってもよい。
【００１３】
本発明の第８の態様によれば、室外機は、空気調和機の室外機であって、前記室外機が備える各アクチュエータに対して、前記空気調和機の動作状況に応じて動作条件が変動するアクチュエータであるか、前記動作状況に応じて前記動作条件が変動しないアクチュエータであるかを判定する第４判定部と、前記第４判定部が前記動作条件が変動すると判定したアクチュエータである第３アクチュエータに対しては、前記第３アクチュエータの稼働時間と、前記第３アクチュエータの前記稼働時間の積算時間である稼働積算時間を算出する際に用いられる補正値を示す係数であって、前記第３アクチュエータの変動する動作条件に応じた係数とに基づいて、前記第３アクチュエータの部品の交換時期であるか否かを判定する第５判定部と、前記第４判定部が前記動作条件が変動しないと判定したアクチュエータである第４アクチュエータに対しては、前記第４アクチュエータの稼働時間に基づいて、前記第４アクチュエータの部品の交換時期であるか否かを判定する第６判定部と、を備える。
【００１４】
本発明の第９の態様によれば、第８の態様における室外機において、前記第４判定部は、前記室外機の起動時に取得した前記各アクチュエータの識別子に基づいて、前記各アクチュエータに対して、前記空気調和機の動作状況に応じて動作条件が変動するアクチュエータであるか、前記動作状況に応じて前記動作条件が変動しないアクチュエータであるかを判定するものであってもよい。
【００１５】
本発明の第１０の態様によれば、第８の態様または第９の態様における室外機は、動作を指示する稼働信号と、前記動作条件を指示する動作条件指令信号とを、前記第３アクチュエータに送信することにより前記第３アクチュエータを制御し、前記第４アクチュエータに前記稼働信号を送信することにより前記第４アクチュエータを制御するコントロール部、を備えるものであってもよい。
【００１６】
本発明の第１１の態様によれば、第１０の態様における室外機は、前記コントロール部が送信する前記稼働信号を受信し、受信した時間を前記稼働時間と特定する稼働時間特定部、を備えるものであってもよい。
【００１７】
本発明の第１２の態様によれば、第１１の態様における室外機において、前記第５判定部は、前記コントロール部が送信する前記動作条件指令信号を受信し、受信した前記動作条件指令信号が示す前記第３アクチュエータの動作条件に一致する動作条件を、記憶部が記憶する動作条件の中から特定し、前記記憶部において特定した動作条件に対応付けられている前記第３アクチュエータの変動する動作条件に応じた係数を特定するものであってもよい。
【００１８】
本発明の第１３の態様によれば、第１１の態様における室外機において、前記第６判定部は、前記第４アクチュエータに対して、前記稼働信号を受信した時間により特定した前記稼働時間を積算した稼働積算時間と、記憶部が記憶する前記第４アクチュエータの前記部品の交換時期であるか否かの判定基準を示す判定基準時間とを比較し、前記稼働積算時間が前記判定基準時間以上である場合に、前記第４アクチュエータの前記部品の交換時期であると判定するものであってもよい。
【００１９】
本発明の第１４の態様によれば、第１２の態様における室外機において、前記第５判定部は、前記第３アクチュエータに対して、前記稼働信号を受信した時間により特定した前記稼働時間に前記第３アクチュエータの変動する動作条件に応じた係数を乗算した時間を積算した稼働積算時間と、記憶部が記憶する前記第３アクチュエータの前記部品の交換時期であるか否かの判定基準を示す判定基準時間とを比較し、前記稼働積算時間が前記判定基準時間以上である場合に、前記第３アクチュエータの前記部品の交換時期であると判定するものであってもよい。
【００２０】
本発明の第１５の態様によれば、空気調和機は、第１から第７の態様の何れかの室内機と、第８から第１４の態様の何れかの室外機と、前記室内機と通信を行うリモートコントローラと、を備える。
【００２１】
本発明の第１６の態様によれば、第１５の態様における空気調和機において、前記リモートコントローラは、前記室内機と前記室外機のそれぞれが備える各アクチュエータの部品の交換時期であるか否かの判定結果を取得し、当該判定結果が部品の交換時期であることを示す判定結果である場合に、部品の交換時期となったことを報知する報知部、を備えていてもよい。
【００２２】
本発明の第１７の態様によれば、第１５または第１６の態様における空気調和機において、前記リモートコントローラは、前記部品の交換時期であることを示す判定結果を記憶する記憶部、を備えていてもよい。
【００２３】
本発明の第１８の態様によれば、判定方法は、空気調和機の室内機の判定方法であって、前記室内機が備える各アクチュエータに対して、前記空気調和機の動作状況に応じて動作条件が変動するアクチュエータであるか、前記動作状況に応じて前記動作条件が変動しないアクチュエータであるかを判定することと、前記動作条件が変動すると判定したアクチュエータである第１アクチュエータに対しては、前記第１アクチュエータの稼働時間と、前記第１アクチュエータの前記稼働時間の積算時間である稼働積算時間を算出する際に用いられる補正値を示す係数であって、前記第１アクチュエータの変動する動作条件に応じた係数とに基づいて、前記第１アクチュエータの部品の交換時期であるか否かを判定することと、前記動作条件が変動しないと判定したアクチュエータである第２アクチュエータに対しては、前記第２アクチュエータの稼働時間に基づいて、前記第２アクチュエータの部品の交換時期であるか否かを判定することと、を含む。
【００２４】
本発明の第１９の態様によれば、判定方法は、空気調和機の室外機の判定方法であって、前記室外機が備える各アクチュエータに対して、前記空気調和機の動作状況に応じて動作条件が変動するアクチュエータであるか、前記動作状況に応じて前記動作条件が変動しないアクチュエータであるかを判定することと、前記動作条件が変動すると判定したアクチュエータである第３アクチュエータに対しては、前記第３アクチュエータの稼働時間と、前記第３アクチュエータの前記稼働時間の積算時間である稼働積算時間を算出する際に用いられる補正値を示す係数であって、前記第３アクチュエータの変動する動作条件に応じた係数とに基づいて、前記第３アクチュエータの部品の交換時期であるか否かを判定することと、前記動作条件が変動しないと判定したアクチュエータである第４アクチュエータに対しては、前記第４アクチュエータの稼働時間に基づいて、前記第４アクチュエータの部品の交換時期であるか否かを判定することと、を含む。
【００２５】
本発明の第２０の態様によれば、プログラムは、空気調和機の室内機のコンピュータに、前記室内機が備える各アクチュエータに対して、前記空気調和機の動作状況に応じて動作条件が変動するアクチュエータであるか、前記動作状況に応じて前記動作条件が変動しないアクチュエータであるかを判定することと、前記動作条件が変動すると判定したアクチュエータである第１アクチュエータに対しては、前記第１アクチュエータの稼働時間と、前記第１アクチュエータの前記稼働時間の積算時間である稼働積算時間を算出する際に用いられる補正値を示す係数であって、前記第１アクチュエータの変動する動作条件に応じた係数とに基づいて、前記第１アクチュエータの部品の交換時期であるか否かを判定することと、前記動作条件が変動しないと判定したアクチュエータである第２アクチュエータに対しては、前記第２アクチュエータの稼働時間に基づいて、前記第２アクチュエータの部品の交換時期であるか否かを判定することと、を実行させる。
【００２６】
本発明の第２１の態様によれば、プログラムは、空気調和機の室外機のコンピュータに、前記室外機が備える各アクチュエータに対して、前記空気調和機の動作状況に応じて動作条件が変動するアクチュエータであるか、前記動作状況に応じて前記動作条件が変動しないアクチュエータであるかを判定することと、前記動作条件が変動すると判定したアクチュエータである第３アクチュエータに対しては、前記第３アクチュエータの稼働時間と、前記第３アクチュエータの前記稼働時間の積算時間である稼働積算時間を算出する際に用いられる補正値を示す係数であって、前記第３アクチュエータの変動する動作条件に応じた係数とに基づいて、前記第３アクチュエータの部品の交換時期であるか否かを判定することと、前記動作条件が変動しないと判定したアクチュエータである第４アクチュエータに対しては、前記第４アクチュエータの稼働時間に基づいて、前記第４アクチュエータの部品の交換時期であるか否かを判定することと、を実行させる。
【発明の効果】
【００２７】
本発明の実施形態による室内機、室外機、空気調和機、判定方法及びプログラムによれば、異なる環境で動作するアクチュエータに対して、部品の交換時期であるか否かをより正確で容易に判定することができる。
【図面の簡単な説明】
【００２８】
【図１】本発明の一実施形態による空気調和機の構成を示す図である。
【図２】本実施形態によるコントロールモジュールの構成を示す図である。
【図３】本実施形態における第１のデータテーブルを示す図である。
【図４】本実施形態による稼働検知モジュールの構成を示す図である。
【図５】本実施形態における第２のデータテーブルを示す図である。
【図６】本実施形態における第３のデータテーブルを示す図である。
【図７】本実施形態によるコントロールモジュールの構成を示す図である。
【図８】本実施形態における第４のデータテーブルを示す図である。
【図９】本実施形態による稼働検知モジュールの構成を示す図である。
【図１０】本実施形態における第５のデータテーブルを示す図である。
【図１１】本実施形態における第６のデータテーブルを示す図である。
【図１２】本実施形態によるリモートコントローラの構成を示す図である。
【図１３】本実施形態によるコントローラが行う報知を示す図である。
【図１４】本実施形態における第７のデータテーブルを示す図である。
【図１５】本実施形態による空気調和機の処理フローを示す第１の図である。
【図１６】本実施形態による空気調和機の処理フローを示す第２の図である。
【図１７】本実施形態による空気調和機の処理フローを示す第３の図である。
【図１８】本実施形態における単位時間当たりの回転数と係数の関係を表す関数を示す図である。
【発明を実施するための形態】
【００２９】
＜実施形態＞
以下、本発明の一実施形態による空気調和機の構成について説明する。
本実施形態による空気調和機１は、図１に示すように、室内機１０と、室外機２０と、リモートコントローラ３０と、を備える。
【００３０】
室内機１０は、ファンモータ１０１と、ドレンポンプ１０２と、ルーバーモータ１０３と、コントロールモジュール１０４と、稼働検知モジュール１０５と、を備える。
【００３１】
ファンモータ１０１は、室内機１０のファンを回転させる。室内機１０のファンは、室内の空気を室内機１０に取り入れる。室内機１０のファンにより室内機１０に取り入れられた空気は、冷房運転時には冷媒となるガスを蒸発させ、暖房運転時には冷媒となるガスを凝縮させるために利用される。また、室内機１０のファンは、熱交換後の空気を室内機１０から室内に送り出す。
【００３２】
ドレンポンプ１０２は、室内機１０の熱交換器の下に付いているドレンパンに溜まったドレン水を外へ排出する。
【００３３】
ルーバーモータ１０３は、室内機１０のルーバーの向きを変更させる。室内機１０のルーバーの向きが変更されると、室内機１０が熱交換後の空気を室内に送り出す向きが変わる。
【００３４】
コントロールモジュール１０４は、動作を指示する稼働信号をファンモータ１０１、ドレンポンプ１０２、ルーバーモータ１０３のそれぞれに送信する。コントロールモジュール１０４は、ファンモータ１０１、ドレンポンプ１０２、ルーバーモータ１０３のそれぞれに送信した稼働信号を稼働検知モジュール１０５に送信する。コントロールモジュール１０４は、モータの単位時間当たりの回転数（すなわち、回転速度）を指示する動作条件指令信号をファンモータ１０１と稼働検知モジュール１０５とに送信する。コントロールモジュール１０４は、自モジュールが動作していることを示す稼働信号を稼働検知モジュール１０５に送信する。
【００３５】
稼働検知モジュール１０５は、稼働信号と、動作条件指令信号と、動作条件（モータの単位時間当たりの回転数、周囲温度など）とに基づいて、ファンモータ１０１、ドレンポンプ１０２、ルーバーモータ１０３、コントロールモジュール１０４のそれぞれに対して、稼働時間の積算値を示す稼働積算時間を算出する。稼働検知モジュール１０５は、稼働積算時間に基づいて、ファンモータ１０１、ドレンポンプ１０２、ルーバーモータ１０３、コントロールモジュール１０４のそれぞれに対して、部品の交換時期であるか否かを判定する。
なお、ファンモータ１０１、ドレンポンプ１０２、ルーバーモータ１０３、コントロールモジュール１０４のそれぞれは、室内機１０のアクチュエータである。
【００３６】
室外機２０は、ファンモータ２０１と、コンプレッサ２０２と、電子膨張弁２０３と、コントロールモジュール２０４と、稼働検知モジュール２０５と、を備える。
【００３７】
ファンモータ２０１は、室外機２０のファンを回転させる。室外機２０のファンは、室外の空気を室外機２０に取り入れる。室外機２０により室外機２０に取り入れられた空気は、冷房運転時には冷媒となるガスを凝縮させ、暖房運転時には冷媒となるガスを蒸発させるために利用される。また、室外機２０のファンは、熱交換後の空気を室外機２０から室外に送り出す。
【００３８】
コンプレッサ２０２は、冷媒となるガスを圧縮して、圧縮前のガスに比べて高温で高圧な気体のガスを生成する。コンプレッサ２０２が生成した高温で高圧なガスは、冷房運転時には室外機２０の熱交換器に送られる。コンプレッサ２０２が生成した高温で高圧なガスは、暖房運転時には室内機１０の熱交換器に送られる。
【００３９】
電子膨張弁２０３は、冷媒となるガスが通過する際に、弁開度に応じてガスを減圧することにより、減圧前のガスに比べて低温で低圧なガスを生成する。電子膨張弁２０３が生成した低温で低圧なガスは、冷房運転時には室内機１０の熱交換器に送られる。電子膨張弁２０３が生成した低温で低圧なガスは、暖房運転時には室外機２０の熱交換器に送られる。
【００４０】
コントロールモジュール２０４は、動作を指示する稼働信号をファンモータ２０１、コンプレッサ２０２、電子膨張弁２０３のそれぞれに送信する。コントロールモジュール２０４は、ファンモータ２０１、コンプレッサ２０２、電子膨張弁２０３のそれぞれに送信した稼働信号を稼働検知モジュール２０５に送信する。コントロールモジュール２０４は、動作条件指令信号をファンモータ２０１とコンプレッサ２０２とに送信する。コントロールモジュール２０４は、ファンモータ２０１とコンプレッサ２０２とに送信した動作条件指令信号を稼働検知モジュール２０５に送信する。コントロールモジュール２０４は、弁開度を示す弁開度信号を電子膨張弁２０３に送信する。コントロールモジュール２０４は、自モジュールが動作していることを示す稼働信号を稼働検知モジュール２０５に送信する。
【００４１】
稼働検知モジュール２０５は、稼働信号と、動作条件指令信号と、動作条件（モータの単位時間当たりの回転数、周囲温度など）とに基づいて、ファンモータ２０１、コンプレッサ２０２、電子膨張弁２０３、コントロールモジュール２０４のそれぞれに対して、稼働積算時間を算出する。稼働検知モジュール２０５は、稼働積算時間に基づいて、ファンモータ２０１、コンプレッサ２０２、電子膨張弁２０３、コントロールモジュール２０４のそれぞれに対して、部品の交換時期であるか否かを判定する。
なお、ファンモータ２０１、コンプレッサ２０２、電子膨張弁２０３、コントロールモジュール２０４のそれぞれは、室外機２０のアクチュエータである。
【００４２】
リモートコントローラ３０は、室内機１０と通信を行う。また、リモートコントローラ３０は、室内機１０を介して、室外機２０と通信を行う。
リモートコントローラ３０は、室内機１０の各アクチュエータに対する部品の交換時期であるか否かの判定結果を室内機１０から受信する。リモートコントローラ３０は、室内機１０から受信した判定結果を記憶する。リモートコントローラ３０は、室内機１０から受信した判定結果が部品の交換時期であることを示す判定結果である場合、その判定結果をユーザに報知して部品の交換を促す。
また、リモートコントローラ３０は、室外機２０の各アクチュエータに対する部品の交換時期であるか否かの判定結果を室外機２０から受信する。リモートコントローラ３０は、室外機２０から受信した判定結果を記憶する。リモートコントローラ３０は、室外機２０から受信した判定結果が部品の交換時期であることを示す判定結果である場合、その判定結果をユーザに報知して部品の交換を促す。
【００４３】
本実施形態によるコントロールモジュール１０４の構成について説明する。
コントロールモジュール１０４は、図２に示すように、コントロール部１４１と、記憶部１４２と、を備える。
【００４４】
記憶部１４２は、コントロールモジュール１０４が行う処理に必要な種々のデータを記憶する。例えば、記憶部１４２は、図３に示す第１のデータテーブルＴＢＬ１（以下、「データテーブルＴＢＬ１」と記載）を記憶する。データテーブルＴＢＬ１は、室内機１０の各アクチュエータに対応する識別子ＩＤ、稼働信号ｄｓ、動作条件指令信号、アクチュエータ種別を示すデータテーブルである。ここで、識別子ＩＤは、室内機１０の各アクチュエータの特定に用いる各アクチュエータ毎に異なる固有の符号である。また、アクチュエータ種別のタイプＡは、動作条件パラメータが変動するアクチュエータ（第１アクチュエータ）を示す。アクチュエータ種別のタイプＢは、動作条件パラメータが変動しないアクチュエータ（第２アクチュエータ）を示す。
動作条件パラメータは、例えば、アクチュエータが動作中のモータの単位時間当たりの回転数や周囲温度などの変動を示すパラメータである。すなわち、アクチュエータ種別がタイプＡのアクチュエータは、動作中に空気調和機１の動作状況に応じて単位時間当たりの回転数などの動作条件パラメータが変化するアクチュエータである。例えば、アクチュエータ種別がタイプＡのアクチュエータは、ファンモータ、コンプレッサなどである。また、アクチュエータ種別がタイプＢのアクチュエータは、空気調和機１の動作状況が変化しても、動作中の単位時間当たりの回転数などの動作条件パラメータがほぼ一定のアクチュエータである。例えば、アクチュエータ種別がタイプＢのアクチュエータは、ドレンポンプ、ルーバーモータ、コントロールモジュール、電子膨張弁などである。
【００４５】
コントロール部１４１は、室内機１０の各アクチュエータを制御する際に、室内機１０の各アクチュエータから識別子ＩＤを取得する。コントロール部１４１は、室内機１０の各アクチュエータから取得した識別子ＩＤと、記憶部１４２が記憶するデータテーブルＴＢＬ１とに基づいて、室内機１０の各アクチュエータの制御に用いる稼働信号ｄｓ、動作条件指令信号ｓｓのそれぞれを特定する。コントロール部１４１は、特定した稼働信号ｄｓ、動作条件指令信号ｓｓを用いて室内機１０の各アクチュエータを制御する。
【００４６】
本実施形態による稼働検知モジュール１０５の構成について説明する。
稼働検知モジュール１０５は、図４に示すように、通信部１５１と、稼働検知部１５２と、記憶部１５３と、タイマー１５４と、制御部１５５と、を備える。
【００４７】
記憶部１５３は、稼働検知モジュール１０５が行う処理に必要な種々のデータを記憶する。例えば、記憶部１５３は、図５に示す第２のデータテーブルＴＢＬ２（以下、「データテーブルＴＢＬ２」と記載）を記憶する。データテーブルＴＢＬ２は、動作条件パラメータと、係数αとの対応関係を示すデータテーブルである。ここで、係数αは、アクチュエータ種別がタイプＡのアクチュエータに対して稼働検知部１５２が稼働積算時間を算出する際に用いる補正値を示す係数である。データテーブルＴＢＬ２は、アクチュエータ種別がタイプＡの室内機１０の各アクチュエータ毎に識別子ＩＤと対応付けて予め用意したデータテーブルである。
また、記憶部１５３は、例えば、図６に示す第３のデータテーブルＴＢＬ３（以下、「データテーブルＴＢＬ３」と記載）を記憶する。データテーブルＴＢＬ３は、室内機１０の各アクチュエータに対応する識別子ＩＤ、稼働積算時間Ｔａ、部品の交換時期であるか否かの判定基準を示す判定基準時間Ｔｈａを示すデータテーブルである。
【００４８】
稼働検知部１５２は、コントロール部１４１が室内機１０の各アクチュエータを制御する際に、室内機１０の各アクチュエータから識別子ＩＤを取得する。稼働検知部１５２は、室内機１０の各アクチュエータから取得した識別子ＩＤと、記憶部１５３が記憶するデータテーブルＴＢＬ３とに基づいて、室内機１０の各アクチュエータを特定する。また、稼働検知部１５２は、データテーブルＴＢＬ３に基づいて、室内機１０の各アクチュエータのアクチュエータ種別を特定する。
【００４９】
稼働検知部１５２は、記憶部１５３からデータテーブルＴＢＬ２を読み出す。
稼働検知部１５２は、アクチュエータ種別がタイプＡの各アクチュエータに対して、各動作条件パラメータ（例えば、動作条件指令信号ｓｓ１０１が示すファンモータ１０１の単位時間当たりの回転数Ｎ）に対応する係数αを用いて稼働積算時間Ｔａを算出する。例えば、稼働検知部１５２は、コントロール部１４１からファンモータ１０１に送信される動作条件指令信号ｓｓ１０１を取得する。稼働検知部１５２は、動作条件指令信号ｓｓ１０１が示すファンモータ１０１の単位時間当たりの回転数Ｎを特定する。稼働検知部１５２は、ステップＳ５の処理で特定したデータテーブルＴＢＬ２において、ファンモータ１０１の単位時間当たりの回転数Ｎに対応する係数αを特定する。稼働検知部１５２は、コントロール部１４１からファンモータ１０１に送信されている動作条件指令信号ｓｓ１０１が変化せず、コントロール部１４１からファンモータ１０１に稼働信号ｄｓ１０１が送信されている時間ｔａを特定する。稼働検知部１５２は、時間ｔａに係数αを乗算した稼働積算時間Ｔａを、前回算出した稼働積算時間Ｔａに加算して新たな稼働積算時間Ｔａを算出する。
【００５０】
稼働検知部１５２は、アクチュエータ種別がタイプＢの各アクチュエータに対して、係数α＝１とし、係数α＝１を用いて稼働積算時間Ｔａを算出する。例えば、稼働検知部１５２は、コントロール部１４１からドレンポンプ１０２に稼働信号ｄｓ１０２が送信されている時間ｔａを特定する。稼働検知部１５２は、時間ｔａに係数α＝１を乗算した稼働積算時間Ｔａを、前回算出したドレンポンプ１０２の稼働積算時間Ｔａに加算して新たな稼働積算時間Ｔａを算出する。
なお、稼働検知部１５２は、アクチュエータ種別がタイプＢのルーバーモータ１０３に対しても、ドレンポンプ１０２と同様に、係数α＝１を用いて、稼働積算時間Ｔａを算出する。また、稼働検知部１５２は、アクチュエータ種別がタイプＢのコントロールモジュール１０４に対しても、ドレンポンプ１０２と同様に、係数α＝１を用いて、稼働積算時間Ｔａを算出する。
【００５１】
稼働検知部１５２は、室内機１０の各アクチュエータに対して、稼働算出時間Ｔａ（ファンモータ１０１の稼働算出時間Ｔａ１、ドレンポンプ１０２の稼働算出時間Ｔａ２、ルーバーモータ１０３の稼働算出時間Ｔａ３、コントロールモジュール１０４の稼働算出時間Ｔａ４）を算出する度に、算出した稼働算出時間Ｔａを記憶部１５３のデータテーブルＴＢＬ３に書き込む。
また、稼働検知部１５２は、室内機１０の各アクチュエータに対して、稼働算出時間Ｔａを算出する度に、算出した稼働算出時間ＴａとデータテーブルＴＢＬ３における判定基準時間Ｔｈａとを比較する。稼働検知部１５２は、比較した比較結果に基づいて、室内機１０の各アクチュエータの部品の交換時期であるか否かを判定する。稼働検知部１５２は、稼働算出時間Ｔａが判定基準時間Ｔｈａ未満である場合、対応するアクチュエータの部品の交換時期ではないと判定する。稼働検知部１５２は、稼働算出時間Ｔａが判定基準時間Ｔｈａ以上である場合、対応するアクチュエータの部品の交換時期であると判定する。
【００５２】
通信部１５１は、リモートコントローラ３０と無線通信を行う。また、通信部１５１は、室外機２０と有線通信を行う。
制御部１５５は、室内機１０における種々の制御を行う。例えば、制御部１５５は、待機状態の室内機１０を動作可能な状態にする制御を行う。また、例えば、制御部１５５は、通信部１５１が行う通信を制御する。
【００５３】
稼働検知部１５２は、アクチュエータの部品の交換時期であると判定した場合、通信部１５１を介して、アクチュエータの名称、そのアクチュエータの識別子ＩＤ、そのアクチュエータの部品の交換時期であると判定した年月日時、その年月日時における稼働積算時間Ｔａのそれぞれをリモートコントローラ３０に送信する。
【００５４】
リモートコントローラ３０は、稼働検知部１５２から受信したアクチュエータの名称、そのアクチュエータの識別子ＩＤ、そのアクチュエータの部品の交換時期であると判定した年月日時、その年月日時における稼働積算時間Ｔａのそれぞれを対応付けて記憶する。また、リモートコントローラ３０は、そのアクチュエータが部品の交換時期であることをユーザに報知し、アクチュエータの部品の交換を促す。
【００５５】
本実施形態によるコントロールモジュール２０４の構成について説明する。
コントロールモジュール２０４は、図７に示すように、コントロール部２４１と、記憶部２４２と、を備える。
【００５６】
記憶部２４２は、コントロールモジュール２０４が行う処理に必要な種々のデータを記憶する。例えば、記憶部２４２は、図８に示す第４のデータテーブルＴＢＬ４（以下、「データテーブルＴＢＬ４」と記載）を記憶する。データテーブルＴＢＬ４は、室外機２０の各アクチュエータに対応する識別子ＩＤ、稼働信号ｄｓ、動作条件指令信号ｓｓ、アクチュエータ種別を示すデータテーブルである。
【００５７】
コントロール部２４１は、室外機２０の各アクチュエータを制御する際に、室外機２０の各アクチュエータから識別子ＩＤを取得する。コントロール部２４１は、室外機２０の各アクチュエータから取得した識別子ＩＤと、記憶部２４２が記憶するデータテーブルＴＢＬ４とに基づいて、室外機２０の各アクチュエータの制御に用いる稼働信号ｄｓ、動作条件指令信号ｓｓのそれぞれを特定する。コントロール部２４１は、特定した稼働信号ｄｓ、動作条件指令信号ｓｓを用いて室外機２０の各アクチュエータを制御する。
【００５８】
本実施形態による稼働検知モジュール２０５の構成について説明する。
稼働検知モジュール２０５は、図９に示すように、通信部２５１と、稼働検知部２５２と、記憶部２５３と、タイマー２５４と、制御部２５５と、を備える。
【００５９】
記憶部２５３は、稼働検知モジュール２０５が行う処理に必要な種々のデータを記憶する。例えば、記憶部２５３は、図１０に示す第５のデータテーブルＴＢＬ５（以下、「データテーブルＴＢＬ５」と記載）を記憶する。データテーブルＴＢＬ５は、モータの単位時間当たりの回転数Ｎ（動作条件指令信号ｓｓ２０１が示すファンモータ２０１の単位時間当たりの回転数Ｎ、動作条件指令信号ｓｓ２０２が示すコンプレッサ２０２のコンプレッサモータの単位時間当たりの回転数Ｎ）、周囲温度などの動作条件の変動を示す動作条件パラメータと、係数αとの対応関係を示すデータテーブルである。ここで、係数αは、アクチュエータ種別がタイプＡのアクチュエータに対して稼働検知部２５２が稼働積算時間Ｔａを算出する際に用いる係数である。データテーブルＴＢＬ５は、アクチュエータ種別がタイプＡの室外機２０の各アクチュエータ（第３アクチュエータ）毎に識別子ＩＤと対応付けて予め用意したデータテーブルである。
また、記憶部２５３は、例えば、図１１に示す第６のデータテーブルＴＢＬ６（以下、「データテーブルＴＢＬ６」と記載）を記憶する。データテーブルＴＢＬ６は、室外機２０の各アクチュエータに対応する識別子ＩＤ、稼働積算時間Ｔａ、部品の交換時期であるか否かの判定基準を示す判定基準時間Ｔｈａを示すデータテーブルである。
【００６０】
稼働検知部２５２は、コントロール部２４１が室外機２０の各アクチュエータを制御する際に、室外機２０の各アクチュエータから識別子ＩＤを取得する。稼働検知部２５２は、室外機２０の各アクチュエータから取得した識別子ＩＤと、記憶部２５３が記憶するデータテーブルＴＢＬ６とに基づいて、室外機２０の各アクチュエータを特定する。また、稼働検知部２５２は、データテーブルＴＢＬ６に基づいて、室外機２０の各アクチュエータのアクチュエータ種別を特定する。
【００６１】
稼働検知部２５２は、記憶部２５３からデータテーブルＴＢＬ５を読み出す。
稼働検知部２５２は、アクチュエータ種別がタイプＡの各アクチュエータに対して、各動作条件パラメータに対応する係数αを用いて稼働積算時間Ｔａを算出する。例えば、稼働検知部２５２は、コントロール部２４１からファンモータ２０１に送信される動作条件指令信号ｓｓ２０１を取得する。稼働検知部２５２は、動作条件指令信号ｓｓ２０１が示すファンモータ２０１の単位時間当たりの回転数Ｎを特定する。稼働検知部２５２は、データテーブルＴＢＬ５において、ファンモータ２０１の単位時間当たりの回転数Ｎに対応する係数αを特定する。稼働検知部２５２は、コントロール部２４１からファンモータ２０１に送信されている動作条件指令信号ｓｓ２０１が変化せず、コントロール部２４１からファンモータ２０１に稼働信号ｄｓ２０１が送信されている時間ｔａを特定する。稼働検知部２５２は、時間ｔａに係数αを乗算した稼働積算時間Ｔａを、前回算出した稼働積算時間Ｔａに加算して新たな稼働積算時間Ｔａを算出する。
なお、稼働検知部１５２は、アクチュエータ種別がタイプＡのコンプレッサ２０２に対しても、ファンモータ２０１と同様に、係数αを用いて、稼働積算時間Ｔａを算出する。
【００６２】
稼働検知部２５２は、アクチュエータ種別がタイプＢの各アクチュエータ（第４アクチュエータ）に対して、係数α＝１とし、係数α＝１を用いて稼働積算時間Ｔａを算出する。例えば、稼働検知部２５２は、コントロール部２４１から電子膨張弁２０３に稼働信号ｄｓ２０３が送信されている時間ｔａを特定する。稼働検知部２５２は、時間ｔａに係数α＝１を乗算した稼働積算時間Ｔａを、前回算出した稼働積算時間Ｔａに加算して新たな稼働積算時間Ｔａを算出する。
なお、稼働検知部２５２は、アクチュエータ種別がタイプＢのコントロールモジュール２０４に対しても、電子膨張弁２０３と同様に、係数α＝１を用いて、稼働積算時間Ｔａを算出する。
【００６３】
稼働検知部２５２は、室外機２０の各アクチュエータに対して、稼働算出時間Ｔａ（Ｔａ５、Ｔａ６、Ｔａ７、Ｔａ８）を算出する度に、算出した稼働算出時間Ｔａを記憶部２５３のデータテーブルＴＢＬ６に書き込む。
稼働検知部２５２は、室外機２０の各アクチュエータに対して、稼働算出時間Ｔａを算出する度に、算出した稼働算出時間ＴａとデータテーブルＴＢＬ６における判定基準時間Ｔｈａとを比較する。稼働検知部２５２は、比較した比較結果に基づいて、室外機２０の各アクチュエータの部品の交換時期であるか否かを判定する。稼働検知部２５２は、稼働算出時間Ｔａが判定基準時間Ｔｈａ未満である場合、対応するアクチュエータの部品の交換時期ではないと判定する。稼働検知部２５２は、稼働算出時間Ｔａが判定基準時間Ｔｈａ以上である場合、対応するアクチュエータの部品の交換時期であると判定する。
【００６４】
通信部２５１は、室内機１０と有線通信を行う。また、通信部２５１は、室内機１０を介して、リモートコントローラ３０と通信を行う。
制御部２５５は、室外機２０における種々の制御を行う。例えば、制御部２５５は、待機状態の室外機２０を動作可能な状態にする制御を行う。また、例えば、制御部２５５は、通信部２５１が行う通信を制御する。
【００６５】
稼働検知部２５２は、アクチュエータの部品の交換時期であると判定した場合、通信部２５１と室内機１０とを介して、アクチュエータの名称、そのアクチュエータの識別子ＩＤ、そのアクチュエータの部品の交換時期であると判定した年月日時、その年月日時における稼働積算時間Ｔａのそれぞれをリモートコントローラ３０に送信する。
【００６６】
本実施形態によるリモートコントローラ３０の構成について説明する。
リモートコントローラ３０は、図１２に示すように、通信部３０１と、報知部３０２と、制御部３０３と、記憶部３０４と、を備える。
【００６７】
通信部３０１は、室内機１０と無線通信を行う。また、通信部３０１は、室内機１０の通信部１５１を介して、室外機２０と通信を行う。
【００６８】
報知部３０２は、アクチュエータが部品の交換時期であることをユーザに報知する。例えば、報知部３０２は、表示部であり、図１３に示すように、“室外機のファンモータの交換時期となりました。サービスセンターへの連絡先は、０３−ＸＸＸＸ−ＸＸＸＸです。”のようなメッセージを表示して、ユーザに部品の交換を促す。また、報知部３０２は、スピーカであり、“室外機のファンモータの交換時期となりました。サービスセンターへの連絡先は、０３−ＸＸＸＸ−ＸＸＸＸです。”のような音声を出力して、ユーザに部品の交換を促してもよい。また、報知部３０２は、バイブレータであり、振動によりユーザに部品の交換を促してもよい。また、報知部３０２は、光源であり、点滅や点灯などによりユーザに部品の交換を促してもよい。
【００６９】
制御部３０３は、リモートコントローラ３０における種々の制御を行う。例えば、制御部３０３は、通信部３０１が行う通信を制御する。また、例えば、制御部３０３は、報知部３０２を制御する。
【００７０】
記憶部３０４は、リモートコントローラ３０が行う処理に必要な種々のデータを記憶する。例えば、記憶部３０４は、図１４に示す第７のデータテーブルＴＢＬ７（以下、「データテーブルＴＢＬ７」と記載）を記憶する。データテーブルＴＢＬ７は、室内機１０の各アクチュエータ及び室外機２０の各アクチュエータの部品の交換時期の履歴を示すデータテーブルである。データテーブルＴＢＬ７は、アクチュエータの名称、そのアクチュエータの識別子ＩＤ、そのアクチュエータの部品の交換時期であると判定した年月日時、その年月日時における稼働積算時間Ｔａを示す。
【００７１】
本実施形態による空気調和機１における室内機１０の各アクチュエータ及び室外機２０の各アクチュエータの部品の交換時期を判定する処理について説明する。
ここでは、図１５に示す空気調和機１の処理フローについて説明する。
【００７２】
ユーザがリモートコントローラ３０に対して空気調和機１を待機状態から動作可能な状態にし、冷房や暖房などのモードに応じた運転を実行させる操作を行う。
制御部３０３は、通信部３０１を介して、ユーザによる操作に応じた指示信号を室内機１０と室外機２０に送信する（ステップＳ１）。
【００７３】
制御部１５５は、通信部１５１を介して、リモートコントローラ３０から指示信号を受信する（ステップＳ２）。制御部１５５は、室内機１０を動作可能な状態にする制御を行う。室内機１０は、制御部１５５が行うこの制御により、動作可能な状態となる（ステップＳ３）。
【００７４】
室内機１０が動作可能な状態になると、稼働検知部１５２、コントロール部１４１のそれぞれは、室内機１０の各アクチュエータ（ファンモータ１０１、ドレンポンプ１０２、ルーバーモータ１０３、コントロールモジュール１０４）から識別子ＩＤを取得する。例えば、稼働検知部１５２、コントロール部１４１のそれぞれは、現在の４つの接続先から識別子ＩＤ１０１、ＩＤ１０２、ＩＤ１０３、ＩＤ１０４を取得する。
稼働検知部１５２は、記憶部１５３からデータテーブルＴＢＬ３を読み出す。
コントロール部１４１は、記憶部１４２からデータテーブルＴＢＬ１を読み出す。
【００７５】
稼働検知部１５２は、室内機１０の各アクチュエータから取得した識別子ＩＤと、記憶部１５３が記憶するデータテーブルＴＢＬ３とに基づいて、室内機１０の各アクチュエータのアクチュエータ種別を特定する（ステップＳ４）。具体的な例として、稼働検知部１５２が、現在の４つの接続先から識別子ＩＤ１０１、ＩＤ１０２、ＩＤ１０３、ＩＤ１０４を取得し、記憶部１５３から図６で示したデータテーブルＴＢＬ３を読み出した場合について説明する。稼働検知部１５２は、現在の接続先から取得した識別子ＩＤ１０１と、データテーブルＴＢＬ３における識別子ＩＤとをＮＯ１から順に比較し、データテーブルＴＢＬ３において識別子ＩＤ１０１に一致する識別子ＩＤを特定する。稼働検知部１５２は、データテーブルＴＢＬ３において識別子ＩＤ１０１に一致する識別子ＩＤをＮＯ１の識別子ＩＤと特定する。稼働検知部１５２は、データテーブルＴＢＬ３において、ＮＯ１の識別子ＩＤに対応するアクチュエータであるファンモータ１０１、アクチュエータ種別であるタイプＡのそれぞれを特定する。同様に、稼働検知部１５２は、現在の接続先から取得した識別子ＩＤ１０２に対して、ドレンポンプ１０２、アクチュエータ種別であるタイプＢのそれぞれを特定する。また、稼働検知部１５２は、現在の接続先から取得した識別子ＩＤ１０３に対して、ルーバーモータ１０３、アクチュエータ種別であるタイプＢのそれぞれを特定する。また、稼働検知部１５２は、現在の接続先から取得した識別子ＩＤ１０４に対して、コントロールモジュール１０４、アクチュエータ種別であるタイプＢのそれぞれを特定する。
【００７６】
稼働検知部１５２は、特定したアクチュエータ種別がタイプＡである各アクチュエータに対応するデータテーブルＴＢＬ２を読み出す（ステップＳ５）。具体的な例として、ファンモータ１０１のアクチュエータ種別がタイプＡであり、識別子ＩＤ１０１である場合について説明する。稼働検知部１５２は、アクチュエータ種別がタイプＡであるファンモータ１０１の識別子ＩＤ１０１と、図５で示した記憶部１５３のデータテーブルＴＢＬ２における識別子ＩＤとをＮＯ１から順に比較し、データテーブルＴＢＬ２において識別子ＩＤ１０１に一致する識別子ＩＤを特定する。稼働検知部１５２は、ＮＯ１の識別子ＩＤ１０１に対応するファンモータの単位時間当たりの回転数Ｎと係数αとの関係を示すＴＢＬ２を読み出す。
【００７７】
コントロール部１４１は、室内機１０の各アクチュエータから取得した識別子ＩＤと、記憶部１４２が記憶するデータテーブルＴＢＬ１とに基づいて、室内機１０の各アクチュエータの制御に用いる稼働信号ｄｓ、動作条件指令信号ｓｓのそれぞれを特定する（ステップＳ６）。具体的な例として、コントロール部１４１が、現在の４つの接続先から識別子ＩＤ１０１、ＩＤ１０２、ＩＤ１０３、ＩＤ１０４を取得し、記憶部１４２から図３で示したデータテーブルＴＢＬ１を読み出した場合について説明する。コントロール部１４１は、現在の接続先から取得した識別子ＩＤ１０１と、データテーブルＴＢＬ１における識別子ＩＤとをＮＯ１から順に比較し、データテーブルＴＢＬ１において識別子ＩＤ１０１に一致する識別子ＩＤを特定する。コントロール部１４１は、データテーブルＴＢＬ１において識別子ＩＤ１０１に一致する識別子ＩＤをＮＯ１の識別子ＩＤと特定する。コントロール部１４１は、データテーブルＴＢＬ１において、ＮＯ１の識別子ＩＤに対応するアクチュエータであるファンモータ１０１、稼働信号ｄｓ１０１、動作条件指令信号ｓｓ１０１のそれぞれを特定する。同様に、コントロール部１４１は、現在の接続先から取得した識別子ＩＤ１０２に対して、ドレンポンプ１０２、稼働信号ｄｓ１０２のそれぞれを特定する。また、コントロール部１４１は、現在の接続先から取得した識別子ＩＤ１０３に対して、ルーバーモータ１０３、稼働信号ｄｓ１０３のそれぞれを特定する。また、コントロール部１４１は、現在の接続先から取得した識別子ＩＤ１０４に対して、コントロールモジュール１０４、稼働信号ｄｓ１０４のそれぞれを特定する。なお、ドレンポンプ１０２、ルーバーモータ１０３、コントロールモジュール１０４のそれぞれに対して、動作条件指令信号ｓｓは存在しない。
【００７８】
コントロール部１４１は、特定した稼働信号ｄｓ、動作条件指令信号ｓｓを用いて室内機１０の各アクチュエータを制御する（ステップＳ７）。例えば、コントロール部１４１は、ファンモータ１０１に稼働信号ｄｓ１０１、動作条件指令信号ｓｓ１０１のそれぞれを送信する。コントロール部１４１は、ドレンポンプ１０２に稼働信号ｄｓ１０２を送信する。コントロール部１４１は、ルーバーモータ１０３に稼働信号ｄｓ１０３を送信する。コントロール部１４１は、コントロールモジュール１０４に稼働信号ｄｓ１０４を送信する。
【００７９】
稼働検知部１５２は、各アクチュエータに対応した係数αを用いて各アクチュエータの稼働積算時間Ｔａを算出する（ステップＳ８）。
ここで、稼働検知部１５２が行うステップＳ８の処理について、図１６に示す処理フローを用いて詳細に説明する。
稼働検知部１５２は、ステップＳ４の処理で特定したアクチュエータ種別がタイプＡの各アクチュエータに対して（ステップＳ８１においてＹＥＳ）、各動作条件パラメータに対応する係数αを用いて稼働積算時間Ｔａを算出する。例えば、稼働検知部１５２は、コントロール部１４１からファンモータ１０１に送信される動作条件指令信号ｓｓ１０１を取得する（ステップＳ８２）。稼働検知部１５２は、動作条件指令信号ｓｓ１０１が示すファンモータ１０１の単位時間当たりの回転数Ｎを特定する（ステップＳ８３）。稼働検知部１５２は、ステップＳ５の処理で特定したデータテーブルＴＢＬ２において、ファンモータ１０１の単位時間当たりの回転数Ｎに対応する係数αを特定する（ステップＳ８４）。稼働検知部１５２は、コントロール部１４１からファンモータ１０１に送信されている動作条件指令信号ｓｓ１０１が変化せず、コントロール部１４１からファンモータ１０１に稼働信号ｄｓ１０１が送信されている時間ｔａを特定する（ステップＳ８５）。稼働検知部１５２は、時間ｔａに係数αを乗算した稼働積算時間Ｔａを、前回算出した稼働積算時間Ｔａに加算して新たな稼働積算時間Ｔａを算出する（ステップＳ８６）。具体的には、動作条件指令信号ｓｓ１０１の示すファンモータ１０１の単位時間当たりの回転数Ｎが６００ｒｐｍであった場合、稼働検知部１５２は、データテーブルＴＢＬ２においてファンモータの単位時間当たりの回転数Ｎ＝６００ｒｐｍに対応する係数α＝０．８を特定する。稼働検知部１５２は、動作条件指令信号ｓｓ１０１が変化せず、コントロール部１４１からファンモータ１０１に稼働信号ｄｓ１０１が送信されている間にタイマー１５４が進んだ時間ｔａが１００秒であった場合、時間ｔａ＝１００秒に係数α＝０．８を乗算してファンモータ１０１の稼働積算時間Ｔａ＝８０秒と算出する。それに続いて、動作条件指令信号ｓｓ１０１の示すファンモータ１０１の単位時間当たりの回転数Ｎが６００ｒｐｍから４００ｒｐｍに変化し、動作条件指令信号ｓｓ１０１が変化せず、コントロール部１４１からファンモータ１０１に稼働信号ｄｓ１０１が送信されている間にタイマー１５４が進んだ時間ｔａが８０秒であった場合、稼働検知部１５２は、データテーブルＴＢＬ２においてファンモータの単位時間当たりの回転数Ｎ＝４００ｒｐｍに対応する係数α＝０．６を特定する。稼働検知部１５２は、時間ｔａ＝８０秒に係数α＝０．６を乗算した稼働積算時間Ｔａ＝４８秒を、前回算出した稼働積算時間Ｔａ＝８０秒に加算して新たな稼働積算時間Ｔａ＝１２８秒を算出する。
稼働検知部１５２は、算出した新たな稼働積算時間Ｔａを記憶部１５３に書き込む（ステップＳ８７）。
【００８０】
また、稼働検知部１５２は、ステップＳ４の処理で特定したアクチュエータ種別がタイプＢの各アクチュエータに対して（ステップＳ８１においてＮＯ）、係数α＝１としステップＳ８８）、係数α＝１を用いて稼働積算時間Ｔａを算出する。例えば、稼働検知部１５２は、コントロール部１４１からドレンポンプ１０２に稼働信号ｄｓ１０２が送信されている時間ｔａ２を特定する（ステップＳ８５）。稼働検知部１５２は、時間ｔａに係数α＝１を乗算した稼働積算時間Ｔａを、前回算出した稼働積算時間Ｔａに加算して新たな稼働積算時間Ｔａを算出する（ステップＳ８６）。
稼働検知部１５２は、算出した新たな稼働積算時間Ｔａを記憶部１５３に書き込む（ステップＳ８７）。
【００８１】
なお、稼働検知部１５２は、動作条件指令信号ｓｓ１０１が変化し、係数αが変化したか否かは、予め定めた短い時間（例えば、１秒）毎に行う。
また、コントロール部１４１からアクチュエータに対して稼働信号ｄｓが送信されていない間には、稼働検知部１５２は、新たな稼働積算時間Ｔａを算出しない。
【００８２】
稼働検知部１５２は、ステップＳ８の処理に続けて、算出した新たな稼働積算時間Ｔａと、記憶部１５３が記憶するデータテーブルＴＢＬ３における判定基準時間Ｔｈａとを比較し、稼働積算時間Ｔａが判定基準時間Ｔｈａ以上であるか否かを判定する（ステップＳ９）。
【００８３】
稼働検知部１５２は、稼働算出時間Ｔａが判定基準時間Ｔｈａ未満である場合（ステップＳ９においてＮＯ）、対応するアクチュエータの部品の交換時期ではないと判定する（ステップＳ１０）。
【００８４】
稼働検知部１５２は、稼働算出時間Ｔａが判定基準時間Ｔｈａ以上である場合（ステップＳ９においてＹＥＳ）、対応するアクチュエータの部品の交換時期であると判定する（ステップＳ１１）。稼働検知部１５２は、通信部１５１を介して、アクチュエータの名称、そのアクチュエータの識別子ＩＤ、そのアクチュエータの部品の交換時期であると判定した年月日時、その年月日時における稼働積算時間Ｔａのそれぞれをリモートコントローラ３０に送信する（ステップＳ１２）。
【００８５】
制御部３０３は、通信部３０１を介して、稼働検知部１５２から受信したアクチュエータの名称、そのアクチュエータの識別子ＩＤ、そのアクチュエータの部品の交換時期であると判定した年月日時、その年月日時における稼働積算時間Ｔａのそれぞれを対応付けて記憶部３０４に書き込む（ステップＳ１３）。また、報知部３０２は、そのアクチュエータが部品の交換時期であることをユーザに報知し（ステップＳ１４）、アクチュエータの部品の交換を促す。例えば、報知部３０２は、表示部であり、図１３で示したように、“室外機のファンモータの交換時期となりました。サービスセンターへの連絡先は、０３−ＸＸＸＸ−ＸＸＸＸです。”のようなメッセージを表示して、ユーザに部品の交換を促す。また、報知部３０２は、スピーカであり、“室外機のファンモータの交換時期となりました。サービスセンターへの連絡先は、０３−ＸＸＸＸ−ＸＸＸＸです。”のような音声を出力して、ユーザに部品の交換を促してもよい。また、報知部３０２は、バイブレータであり、振動によりユーザに部品の交換を促してもよい。また、報知部３０２は、光源であり、点滅や点灯などによりユーザに部品の交換を促してもよい。
【００８６】
また、制御部２５５は、室内機１０を介して、リモートコントローラ３０から指示信号を受信する（ステップＳ１５）。制御部２５５は、室外機２０を動作可能な状態にする制御を行う。室外機２０は、制御部２５５が行うこの制御により、動作可能な状態となる（ステップＳ１６）。
【００８７】
室外機２０が動作可能な状態になると、稼働検知部２５２、コントロール部２４１のそれぞれは、室外機２０の各アクチュエータ（ファンモータ２０１、コンプレッサ２０２、電子膨張弁２０３、コントロールモジュール２０４）から識別子ＩＤを取得する。例えば、稼働検知部２５２、コントロール部２４１のそれぞれは、現在の４つの接続先から識別子ＩＤ２０１、ＩＤ２０２、ＩＤ２０３、ＩＤ２０４を取得する。
稼働検知部２５２は、記憶部２５３からデータテーブルＴＢＬ６を読み出す。
コントロール部２４１は、記憶部２４２からデータテーブルＴＢＬ４を読み出す。
【００８８】
稼働検知部２５２は、室外機２０の各アクチュエータから取得した識別子ＩＤと、記憶部２５３が記憶するデータテーブルＴＢＬ６とに基づいて、室外機２０の各アクチュエータのアクチュエータ種別を特定する（ステップＳ１７）。具体的な例として、稼働検知部２５２が、現在の４つの接続先から識別子ＩＤ２０１、ＩＤ２０２、ＩＤ２０３、ＩＤ２０４を取得し、記憶部２５３から図１１で示したデータテーブルＴＢＬ６を読み出した場合について説明する。稼働検知部２５２は、現在の接続先から取得した識別子ＩＤ２０１と、データテーブルＴＢＬ６における識別子ＩＤとをＮＯ１から順に比較し、データテーブルＴＢＬ６において識別子ＩＤ２０１に一致する識別子ＩＤを特定する。稼働検知部２５２は、データテーブルＴＢＬ６において識別子ＩＤ２０１に一致する識別子ＩＤをＮＯ１の識別子ＩＤと特定する。稼働検知部２５２は、データテーブルＴＢＬ６において、ＮＯ１の識別子ＩＤに対応するアクチュエータであるファンモータ２０１、アクチュエータ種別であるタイプＡのそれぞれを特定する。同様に、稼働検知部２５２は、現在の接続先から取得した識別子ＩＤ２０２に対して、コンプレッサ２０２、アクチュエータ種別であるタイプＡのそれぞれを特定する。また、稼働検知部２５２は、現在の接続先から取得した識別子ＩＤ２０３に対して、電子膨張弁２０３、アクチュエータ種別であるタイプＢのそれぞれを特定する。また、稼働検知部２５２は、現在の接続先から取得した識別子ＩＤ２０４に対して、コントロールモジュール２０４、アクチュエータ種別であるタイプＢのそれぞれを特定する。
【００８９】
稼働検知部２５２は、特定したアクチュエータ種別がタイプＡである各アクチュエータに対応するデータテーブルＴＢＬ５を読み出す（ステップＳ１８）。具体的な例として、ファンモータ２０１のアクチュエータ種別がタイプＡであり、識別子ＩＤ２０１であり、コンプレッサ２０２のアクチュエータ種別がタイプＡであり、識別子ＩＤ２０２である場合について説明する。稼働検知部２５２は、アクチュエータ種別がタイプＡであるファンモータ２０１の識別子ＩＤ２０１と、図１０で示した記憶部２５３のデータテーブルＴＢＬ５における識別子ＩＤとをＮＯ１から順に比較し、データテーブルＴＢＬ５において識別子ＩＤ２０１に一致する識別子ＩＤを特定する。稼働検知部２５２は、ＮＯ１の識別子ＩＤ１０１に対応するファンモータ２０１の単位時間当たりの回転数Ｎと係数αとの関係を示すＴＢＬ２を読み出す。また、稼働検知部２５２は、アクチュエータ種別がタイプＡであるコンプレッサ２０２の識別子ＩＤ２０２と、図１０で示した記憶部２５３のデータテーブルＴＢＬ５における識別子ＩＤとをＮＯ１から順に比較し、データテーブルＴＢＬ５において識別子ＩＤ２０２に一致する識別子ＩＤを特定する。稼働検知部２５２は、ＮＯ２の識別子ＩＤ２０２に対応するコンプレッサ２０２のコンプレッサモータの単位時間当たりの回転数Ｎと係数αとの関係を示すＴＢＬ５を読み出す。
【００９０】
コントロール部２４１は、室外機２０の各アクチュエータから取得した識別子ＩＤと、記憶部２４２が記憶するデータテーブルＴＢＬ４とに基づいて、室外機２０の各アクチュエータの制御に用いる稼働信号ｄｓ、動作条件指令信号ｓｓのそれぞれを特定する（ステップＳ１９）。具体的な例として、コントロール部２４１が、現在の４つの接続先から識別子ＩＤ２０１、ＩＤ２０２、ＩＤ２０３、ＩＤ２０４を取得し、記憶部２４２から図８で示したデータテーブルＴＢＬ４を読み出した場合について説明する。コントロール部２４１は、現在の接続先から取得した識別子ＩＤ２０１と、データテーブルＴＢＬ４における識別子ＩＤとをＮＯ１から順に比較し、データテーブルＴＢＬ４において識別子ＩＤ２０１に一致する識別子ＩＤを特定する。コントロール部２４１は、データテーブルＴＢＬ１において識別子ＩＤ２０１に一致する識別子ＩＤをＮＯ１の識別子ＩＤと特定する。コントロール部２４１は、データテーブルＴＢＬ４において、ＮＯ１の識別子ＩＤに対応するアクチュエータであるファンモータ２０１、稼働信号ｄｓ２０１、動作条件指令信号ｓｓ２０１のそれぞれを特定する。同様に、コントロール部２４１は、現在の接続先から取得した識別子ＩＤ１０２に対して、コンプレッサ２０２、稼働信号ｄｓ２０２、動作条件指令信号ｓｓ２０２のそれぞれを特定する。また、コントロール部２４１は、現在の接続先から取得した識別子ＩＤ２０３に対して、電子膨張弁２０３、稼働信号ｄｓ２０３のそれぞれを特定する。また、コントロール部２４１は、現在の接続先から取得した識別子ＩＤ２０４に対して、コントロールモジュール２０４、稼働信号ｄｓ２０４のそれぞれを特定する。なお、電子膨張弁２０３、コントロールモジュール２０４のそれぞれに対して、動作条件指令信号ｓｓは存在しない。
【００９１】
コントロール部２４１は、特定した稼働信号ｄｓ、動作条件指令信号ｓｓを用いて室外機２０の各アクチュエータを制御する（ステップＳ２０）。例えば、コントロール部２４１は、ファンモータ２０１に稼働信号ｄｓ２０１、動作条件指令信号ｓｓ２０１のそれぞれを送信する。コントロール部２４１は、コンプレッサ２０２に稼働信号ｄｓ２０２、動作条件指令信号ｓｓ２０２のそれぞれを送信する。コントロール部２４１は、電子膨張弁２０３に稼働信号ｄｓ２０３を送信する。コントロール部２４１は、コントロールモジュール２０４に稼働信号ｄｓ２０４を送信する。
【００９２】
稼働検知部２５２は、各アクチュエータに対応した係数αを用いて各アクチュエータの稼働積算時間Ｔａを算出する（ステップＳ２１）。
ここで、稼働検知部２５２が行うステップＳ２１の処理について、図１７に示す処理フローを用いて詳細に説明する。
稼働検知部２５２は、ステップＳ１７の処理で特定したアクチュエータ種別がタイプＡの各アクチュエータに対して（ステップＳ９１においてＹＥＳ）、各動作条件パラメータに対応する係数αを用いて稼働積算時間Ｔａを算出する。例えば、稼働検知部２５２は、コントロール部２４１からファンモータ２０１に送信される動作条件指令信号ｓｓ２０１を取得する（ステップＳ９２）。稼働検知部２５２は、動作条件指令信号ｓｓ２０１が示すファンモータ２０１の単位時間当たりの回転数Ｎを特定する（ステップＳ９３）。稼働検知部２５２は、ステップＳ１８の処理で特定したデータテーブルＴＢＬ５において、ファンモータ２０１の単位時間当たりの回転数Ｎに対応する係数αを特定する（ステップＳ９４）。稼働検知部２５２は、コントロール部２４１からファンモータ２０１に送信されている動作条件指令信号ｓｓ２０１が変化せず、コントロール部２４１からファンモータ２０１に稼働信号ｄｓ２０１が送信されている時間ｔａを特定する（ステップＳ９５）。稼働検知部２５２は、時間ｔａに係数αを乗算した稼働積算時間Ｔａを、前回算出した稼働積算時間Ｔａに加算して新たな稼働積算時間Ｔａを算出する（ステップＳ９６）。具体的には、動作条件指令信号ｓｓ２０１の示すファンモータ２０１の単位時間当たりの回転数Ｎが７００ｒｐｍであった場合、稼働検知部２５２は、データテーブルＴＢＬ５においてファンモータの単位時間当たりの回転数Ｎ＝７００ｒｐｍに対応する係数α＝０．８を特定する。稼働検知部２５２は、動作条件指令信号ｓｓ２０１が変化せず、コントロール部２４１からファンモータ２０１に稼働信号ｄｓ２０１が送信されている間にタイマー２５４が進んだ時間ｔａが１００秒であった場合、時間ｔａ＝１００秒に係数α＝０．８を乗算してファンモータ２０１の稼働積算時間Ｔａ＝８０秒と算出する。それに続いて、動作条件指令信号ｓｓ２０１の示すファンモータ２０１の単位時間当たりの回転数Ｎが７００ｒｐｍから５００ｒｐｍに変化し、動作条件指令信号ｓｓ２０１が変化せず、コントロール部２４１からファンモータ２０１に稼働信号ｄｓ２０１が送信されている間にタイマー２５４が進んだ時間ｔａが８０秒であった場合、稼働検知部２５２は、データテーブルＴＢＬ５においてファンモータの単位時間当たりの回転数Ｎ＝５００ｒｐｍに対応する係数α＝０．６を特定する。稼働検知部２５２は、時間ｔａ＝８０秒に係数α＝０．６を乗算した稼働積算時間Ｔａ＝４８秒を、前回算出した稼働積算時間Ｔａ＝８０秒に加算して新たな稼働積算時間Ｔａ＝１２８秒を算出する。
稼働検知部２５２は、算出した新たな稼働積算時間Ｔａを記憶部２５３に書き込む（ステップＳ９７）。
【００９３】
また、稼働検知部２５２は、ステップＳ１７の処理で特定したアクチュエータ種別がタイプＢの各アクチュエータに対して（ステップＳ９１においてＮＯ）、係数α＝１としステップＳ９８）、係数α＝１を用いて稼働積算時間Ｔａを算出する。例えば、稼働検知部２５２は、コントロール部２４１から電子膨張弁２０３に稼働信号ｄｓ２０３が送信されている時間ｔａを特定する（ステップＳ９５）。稼働検知部２５２は、時間ｔａに係数α＝１を乗算した稼働積算時間Ｔａを、前回算出した稼働積算時間Ｔａに加算して新たな稼働積算時間Ｔａを算出する（ステップＳ９６）。
稼働検知部２５２は、算出した新たな稼働積算時間Ｔａを記憶部２５３に書き込む（ステップＳ９７）。
【００９４】
なお、稼働検知部２５２は、動作条件指令信号ｓｓ２０１が変化し、係数αが変化したか否かは、予め定めた短い時間（例えば、１秒）毎に行う。
また、コントロール部２４１からファンモータ２０１に対して稼働信号ｄｓ２０１が送信されていない間には、稼働検知部２５２は、新たな稼働積算時間Ｔａを算出しない。
【００９５】
稼働検知部２５２は、ステップＳ２１の処理に続けて、算出した新たな稼働積算時間Ｔａと、記憶部２５３が記憶するデータテーブルＴＢＬ７における判定基準時間Ｔｈａとを比較し、稼働積算時間Ｔａが判定基準時間Ｔｈａ以上であるか否かを判定する（ステップＳ２２）。
【００９６】
稼働検知部２５２は、稼働算出時間Ｔａが判定基準時間Ｔｈａ未満である場合（ステップＳ２２においてＮＯ）、対応するアクチュエータの部品の交換時期ではないと判定する（ステップＳ２３）。
【００９７】
稼働検知部２５２は、稼働算出時間Ｔａが判定基準時間Ｔｈａ以上である場合（ステップＳ２２においてＹＥＳ）、対応するアクチュエータの部品の交換時期であると判定する（ステップＳ２４）。稼働検知部２５２は、通信部２５１を介して、アクチュエータの名称、そのアクチュエータの識別子ＩＤ、そのアクチュエータの部品の交換時期であると判定した年月日時、その年月日時における稼働積算時間Ｔａのそれぞれをリモートコントローラ３０に送信する（ステップＳ２５）。
【００９８】
制御部３０３は、通信部３０１を介して、稼働検知部２５２から受信したアクチュエータの名称、そのアクチュエータの識別子ＩＤ、そのアクチュエータの部品の交換時期であると判定した年月日時、その年月日時における稼働積算時間Ｔａのそれぞれを対応付けて記憶部３０４に書き込む（ステップＳ２６）。また、報知部３０２は、そのアクチュエータが部品の交換時期であることをユーザに報知し（ステップＳ２７）、アクチュエータの部品の交換を促す。
【００９９】
なお、上述の空気調和機１の処理フローにおいて、室内機１０が行うステップＳ２〜ステップＳ１２の処理と、室外機２０が行うステップＳ１５〜ステップＳ２５の処理は、並行して行われる。
【０１００】
上述の空気調和機１の処理フローにおいて、稼働検知部１５２、稼働検知部２５２のそれぞれは、係数αが変化したときに各アクチュエータに対する稼働積算時間Ｔａを算出するものとして説明したが、それに限定するものではない。例えば、稼働検知部１５２、稼働検知部２５２のそれぞれは、所定時間毎（例えば、係数αが変化したか否かを判定するタイミング毎）に各アクチュエータに対する稼働積算時間Ｔａを算出してもよい。
なお、一般的に、各アクチュエータの寿命は、係数αが変化する時間間隔に比べて十分に長いため、稼働検知部１５２、稼働検知部２５２のそれぞれは、係数αが変化する毎にアクチュエータの部品の交換時期を判定しても、所定時間毎にアクチュエータの部品の交換時期を判定しても、判定精度の差はほとんど無い。
そのため、稼働検知部１５２、稼働検知部２５２のそれぞれは、係数αが変化する毎にアクチュエータの部品の交換時期を判定することで、演算回数を低減することができる。その結果、稼働検知部１５２、稼働検知部２５２のそれぞれは、安価な処理装置で実現できる可能性がある。
【０１０１】
以上、本発明の一実施形態による空気調和機１について説明した。
本実施形態による空気調和機１において、室内機１０の稼働検知部１５２は、室内機１０が備える各アクチュエータに対して、空気調和機１の動作状況に応じて動作条件が変動するか否かを判定する。稼働検知部１５２は、動作条件が変動すると判定した第１アクチュエータ（室内機１０におけるアクチュエータ種別がタイプＡのアクチュエータ）に対しては、第１アクチュエータの動作条件と、第１アクチュエータの稼働時間とに基づいて、第１アクチュエータの部品の交換時期であるか否かを判定する。稼働検知部１５２は、動作条件が変動しないと判定した第２アクチュエータ（室内機１０におけるアクチュエータ種別がタイプＢのアクチュエータ）に対しては、第２アクチュエータの稼働時間に基づいて、第２アクチュエータの部品の交換時期であるか否かを判定する。また、室外機２０の稼働検知部２５２は、動作条件が変動すると判定した第３アクチュエータ（室外機２０におけるアクチュエータ種別がタイプＡのアクチュエータ）に対しては、第３アクチュエータの動作条件と、第３アクチュエータの稼働時間とに基づいて、第３アクチュエータの部品の交換時期であるか否かを判定する。稼働検知部２５２は、動作条件が変動しないと判定した第４アクチュエータ（室外機２０におけるアクチュエータ種別がタイプＢのアクチュエータ）に対しては、第４アクチュエータの稼働時間に基づいて、第４アクチュエータの部品の交換時期であるか否かを判定する。
このようにすれば、空気調和機１において、室内機１０、室外機２０のそれぞれは、異なる環境で動作するアクチュエータに対して、部品の交換時期であるか否かをより正確で容易に判定することができる。
【０１０２】
なお、本実施形態によるタイマー１５４は、所定周期の（すなわち、所定時間に対応する）クロック信号をカウントするカウンタであってよい。同様に、本実施形態によるタイマー２５４は、所定周期のクロック信号をカウントするカウンタであってよい。
その場合、空気調和機１は、時間に対応するクロック信号のカウント数を時間の代わりに用いて処理を行ってもよい。
本実施形態によるドレンポンプ１０２は、アクチュエータ種別がタイプＢのアクチュエータとして説明したが、アクチュエータ種別をタイプＡとしてもよい。その場合、稼働検知部１５２は、動作条件パラメータと係数αとの対応関係を示す関数を用いて動作条件指令信号ｓｓに対応する係数αを特定し、ドレンポンプ１０２の部品の交換時期であるか否かを判定してもよい。
【０１０３】
本実施形態による稼働検知部１５２は、動作条件指令信号ｓｓに対応する動作条件パラメータがデータテーブルＴＢＬ２に無い場合、データテーブルＴＢＬ２の動作条件パラメータを補間（例えば、線形補間）や外挿などして、動作条件指令信号ｓｓに対応する動作条件パラメータと係数αとの対応関係を算出し、動作条件指令信号ｓｓに対応する係数αを特定してもよい。また、本実施形態による稼働検知部１５２は、データテーブルＴＢＬ２の代わりに、例えば、図１８に示すような動作条件パラメータと係数αとの対応関係を示す関数を用いて動作条件指令信号ｓｓに対応する係数αを特定してもよい。
同様に、本実施形態による稼働検知部２５２は、動作条件指令信号ｓｓに対応する動作条件パラメータがデータテーブルＴＢＬ５に無い場合、データテーブルＴＢＬ５の動作条件パラメータを補間（例えば、線形補間）や外挿などして、動作条件指令信号ｓｓに対応する動作条件パラメータと係数αとの対応関係を算出し、動作条件指令信号ｓｓに対応する係数αを特定してもよい。また、本実施形態による稼働検知部２５２は、データテーブルＴＢＬ５の代わりに、動作条件パラメータと係数αとの対応関係を示す関数を用いて動作条件指令信号ｓｓに対応する係数αを特定してもよい。
【０１０４】
また、本実施形態による稼働検知部１５２は、ファンモータ１０１の稼働積算時間Ｔａを算出する際に、単位時間当たりの回転数Ｎと係数αとの対応関係を示すデータテーブルＴＢＬ２を用いたが、それに限定しない。ファンモータ１０１の単位時間当たりの回転数Ｎが増加すると、周囲温度が上昇する。すなわち、ファンモータ１０１の単位時間当たりの回転数Ｎと周囲温度とは相関関係がある。そのため、例えば、稼働検知部１５２は、単位時間当たりの回転数Ｎと係数αとの対応関係を示すデータデータＴＢＬ２の代わりに、周囲温度と係数αとの対応関係を示すデータデータＴＢＬ２を用いてもよい。
同様に、本実施形態による稼働検知部２５２は、単位時間当たりの回転数Ｎと係数αとの対応関係を示すデータデータＴＢＬ５の代わりに、周囲温度と係数αとの対応関係を示すデータデータＴＢＬ５を用いてもよい。
【０１０５】
本実施形態において、コントロールモジュール１０４、稼働検知モジュール１０５は、室内機１０に備えられ、コントロールモジュール２０４、稼働検知モジュール２０５は、室外機２０に備えられるものとしたが、それに限定しない。適切な制御ができる範囲において、例えば、コントロールモジュール１０４、稼働検知モジュール１０５、コントロールモジュール２０４、稼働検知モジュール２０５のすべてが、室内機１０に備えられていてもよい。また、コントロールモジュール１０４、稼働検知モジュール１０５、コントロールモジュール２０４、稼働検知モジュール２０５のすべてが、室外機２０に備えられていてもよい。また、コントロールモジュール１０４、稼働検知モジュール１０５、コントロールモジュール２０４、稼働検知モジュール２０５のうちの一部が室内機１０が備え、残りの部分が室外機２０に備えられていてもよい。
【０１０６】
なお、本発明の実施形態における処理フローは、適切な処理が行われる範囲において、処理の順番が入れ替わってもよい。
【０１０７】
本発明における記憶部１４２、記憶部１５３、記憶部２４２、記憶部２５３のそれぞれは、適切な情報の送受信が行われる範囲においてどこに備えられていてもよい。また、記憶部１４２、記憶部１５３、記憶部２４２、記憶部２５３のそれぞれは、適切な情報の送受信が行われる範囲において複数存在しデータを分散して記憶していてもよい。
【０１０８】
本発明の実施形態について説明したが、上述のコントロールモジュール１０４、稼働検知モジュール１０５、コントロールモジュール２０４、稼働検知モジュール２０５のそれぞれは内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【０１０９】
また、上述の室内機１０、室外機２０のそれぞれが有するコンピュータシステムは、室内機１０、室外機２０とで一部または全部が共通であってもよい。
【０１１０】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【０１１１】
本発明のいくつかの実施形態を説明したが、これらの実施形態は、例であり、発明の範囲を限定しない。これらの実施形態は、発明の要旨を逸脱しない範囲で、種々の省略、置き換え、変更を行ってよい。
【符号の説明】
【０１１２】
１・・・空気調和機
１０・・・室内機
２０・・・室外機
３０・・・リモートコントローラ
１０１、２０１・・・ファンモータ
１０２・・・ドレンポンプ
１０３・・・ルーバーモータ
１０４、２０４・・・コントロールモジュール
１０５、２０５・・・稼働検知モジュール
１４１、２４１・・・コントロール部
１４２、１５３、２４２、２５３、３０４・・・記憶部
１５１、３０１・・・通信部
１５２、２５２・・・稼働検知部
１５４、２５４・・・タイマー
１５５、３０３・・・制御部
２０２・・・コンプレッサ
２０３・・・電子膨張弁
３０２・・・報知部
【図１】
0006614485.tif 000002
【図２】
0006614485.tif 000003
【図３】
0006614485.tif 000004
【図４】
0006614485.tif 000005
【図５】
0006614485.tif 000006
【図６】
0006614485.tif 000007
【図７】
0006614485.tif 000008
【図８】
0006614485.tif 000009
【図９】
0006614485.tif 000010
【図１０】
0006614485.tif 000011
【図１１】
0006614485.tif 000012
【図１２】
0006614485.tif 000013
【図１３】
0006614485.tif 000014
【図１４】
0006614485.tif 000015
【図１５】
0006614485.tif 000016
【図１６】
0006614485.tif 000017
【図１７】
0006614485.tif 000018
【図１８】
0006614485.tif 000019